(57)【要約】【課題】濡れている衣服をハンガーに掛けて吊り下げておけば、従来のハンガー掛けに吊り下げた場合に比して著しく早く濡れている衣服を乾燥させることができるハンガー支持具の提供を課題とする。【解決手段】壁Ｗに固定されているフックＦには、傾斜部１０の上端部に配設されている係合部材１１が係合している。傾斜部１０の下端部から壁Ｗに向かって、ハンガーを吊り下げる吊下部２０が水平方向に延在している。この吊下部２０の壁Ｗ側の端部は、接触部材３０によって壁Ｗから離隔した位置に保持される。【選択図】  図１
2009039385.tif 000002
【特許請求の範囲】
【請求項１】
壁面に配設されたフックに上端部が係止され、前記壁面に対して斜め下方に離隔的に延
在するように形成された傾斜部と、該傾斜部の下端部から前記壁面に向かって延在するよ
うに形成された吊下部とを具え、
前記傾斜部の上端部には、前記フックに着脱自在に係合する係合部材が配設され、
前記吊下部の前記壁面側の端部には、前記壁面に沿って水平方向に延在し、前記壁面か
らあらかじめ定められた離隔幅を有し且つ前記壁面から離隔した位置で前記吊下部の壁面
側の端部と接続している接触部材が配設され、当該接触部材の形状は、前記壁面と水平方
向の複数個の位置で点接触する形状または前記壁面と水平方向に沿って面接触する部分を
有する形状であることを特徴とするハンガー支持具。
【請求項２】
壁面に配設されたフックに上端部が係止され、前記壁面に対して斜め下方に離隔的に延
在するように形成された傾斜部と、該傾斜部の下端部から前記壁面に向かって延在するよ
うに形成された吊下部とを具え、
前記傾斜部の上端部には、前記フックに着脱自在に係合する係合部材が配設され、
前記吊下部の前記壁面側の端部には、該端部と接続している接触部材が配設され、当該
接触部材の形状は、前記壁面と水平方向の複数個の位置で点接触する形状または前記壁面
と水平方向に沿って面接触する部分を有する形状であり、
前記吊下部には、吊り下げられたハンガーの前記吊下部に沿った方向への移動を規制す
る係止部が形成されていることを特徴とするハンガー支持具。
【請求項３】
前記係止部は、前記吊下部に上方に向かって突設された係止用突起によって形成されて
いることを特徴とする請求項２に記載のハンガー支持具。
【請求項４】
前記係止部は、前記吊下部に配設された係止部材によって構成されていることを特徴と
する請求項２に記載のハンガー支持具。
【請求項５】
請求項２、請求項３または請求項４に記載のハンガー支持具を２個と、該２個のハンガ
ー支持具の前記係止部に係止可能な物干竿との組み合せにより構成されることを特徴とす
る物干具。
【請求項６】
請求項１ないし請求項４のいずれかの項に記載のハンガー支持具であって、該ハンガー
支持具は前記傾斜部に配設された係止部材をさらに具え、当該傾斜部に係止部材を有する
ハンガー支持具２個と、該係止部材によって係止可能な物干竿との組み合せにより構成さ
れることを特徴とする物干具。
【請求項７】
前記係合部材を含む前記傾斜部の長さを調整する長さ調整機構をさらに有することを特
徴とする請求項１または請求項２に記載のハンガー支持具。
【請求項８】
前記長さ調整機構は、前記傾斜部と螺合可能なネジ部を有する前記係合部材によって構
成されていることを特徴とする請求項７に記載のハンガー支持具。
【請求項９】
前記吊下部の端部と前記接触部材との接続部分は、回動または／および着脱自在な接続
具によって構成されていることを特徴とする請求項１または請求項２に記載のハンガー支
持具。
【請求項１０】
前記傾斜部の上部に一端が固定され、他端が前記吊下部または／および前記接触部材に
固定された補強部材が配設されていることを特徴とする請求項１または請求項２に記載の
ハンガー支持具。
【発明の詳細な説明】
【技術分野】
【０００１】
本発明は、衣服用のハンガーを支持するハンガー支持具に関するものである。
【背景技術】
【０００２】
従来のハンガー掛けは、図１８（ａ），（ｂ）に示すように、壁Ｗに固定されているハ
ンガー掛けＢが広く使用されている。このようなハンガー掛けＢには、図１８（ａ），（
ｂ）に示すように衣服Ａを掛けたハンガーＨが吊り下げられた状態で支持されている。
【発明の開示】
【発明が解決しようとする課題】
【０００３】
このような従来のハンガー掛けＢを使用して、衣服Ａを掛けたハンガーＨを吊り下げた
場合には、図１８（ｂ）に示すように衣服Ａと壁Ｗの壁面との間の隙間が狭いために、雨
などで濡れている衣服Ａが乾きにくく、例えば、夜間に雨で濡れた衣服ＡをハンガーＨに
掛けてハンガー掛けＢに吊り下げておいても、翌朝になって使用するときに、完全には乾
いていないという問題が生じてしまう。
【課題を解決するための手段】
【０００４】
本発明によれば、第１手段として、壁面に配設されたフックに上端部が係止され、前記
壁面に対して斜め下方に離隔的に延在するように形成された傾斜部と、該傾斜部の下端部
から前記壁面に向かって延在するように形成された吊下部とを具え、前記傾斜部の上端部
には、前記フックに着脱自在に係合する係合部材が配設され、前記吊下部の前記壁面側の
端部には、前記壁面に沿って水平方向に延在し、前記壁面からあらかじめ定められた離隔
幅を有し且つ前記壁面から離隔した位置で前記吊下部の壁面側の端部と接続している接触
部材が配設され、当該接触部材の形状は、前記壁面と水平方向の複数個の位置で点接触す
る形状または前記壁面と水平方向に沿って面接触する部分を有する形状であることを特徴
とするハンガー支持具を提供することができる。なお、このハンガー支持具の前記傾斜部
に配設された係止部材をさらに具え、当該傾斜部に係止部材を有するハンガー支持具２個
と、該係止部材によって係止可能な物干竿とを組み合せることにより物干具を構成するこ
とができる。
【０００５】
本発明によれば、第２手段として、壁面に配設されたフックに上端部が係止され、前記
壁面に対して斜め下方に離隔的に延在するように形成された傾斜部と、該傾斜部の下端部
から前記壁面に向かって延在するように形成された吊下部とを具え、前記傾斜部の上端部
には、前記フックに着脱自在に係合する係合部材が配設され、前記吊下部の前記壁面側の
端部には、該端部と接続している接触部材が配設され、当該接触部材の形状は、前記壁面
と水平方向の複数個の位置で点接触する形状または前記壁面と水平方向に沿って面接触す
る部分を有する形状であり、前記吊下部には、吊り下げられたハンガーの前記吊下部に沿
った方向への移動を規制する係止部が形成されていることを特徴とするハンガー支持具を
提供することができる。ここで、前記係止部は、前記吊下部に上方に向かって突設された
係止用突起によって形成してもよいし、また、前記吊下部に配設された係止部材によって
構成してもよい。なお、このハンガー支持具を２個と、該２個のハンガー支持具の前記係
止部に係止可能な物干竿とを組み合せることにより物干具を構成することができる。さら
に、このハンガー支持具の前記傾斜部に配設された係止部材をさらに具え、当該傾斜部に
係止部材を有するハンガー支持具２個と、該係止部材によって係止可能な物干竿とを組み
合せることにより物干具を構成することもできる。
【０００６】
上述した第１手段と第２手段とに係るハンガー支持具においては、前記係合部材を含む
前記傾斜部の長さを調整する長さ調整機構をさらに有してもよい。この長さ調整機構は、
前記傾斜部と螺合可能なネジ部を有する前記係合部材によって構成してもよい。
【０００７】
また、上述した第１手段と第２手段とに係るハンガー支持具においては、前記吊下部の
端部と前記接触部材との接続部分は、回動または／および着脱自在な接続具によって構成
してもよい。
【０００８】
さらに、上述した第１手段と第２手段とに係るハンガー支持具においては、前記傾斜部
の上部に一端が固定され、他端が前記吊下部または／および前記接触部材に固定された補
強部材が配設されていてもよい。
【発明の効果】
【０００９】
本発明に係るハンガー支持具によれば、濡れている衣服をハンガーに掛けて吊り下げて
おけば、従来のハンガー掛けに吊り下げた場合に比して著しく早く濡れている衣服を乾燥
させることができる。
【発明を実施するための最良の形態】
【００１０】
以下、図面を用いて本発明の実施例について説明する。
【実施例１】
【００１１】
図１は、本発明の実施例１の構成を示した構成図であり、（ａ）は斜視図、（ｂ）は側
面図をそれぞれ示している。
【００１２】
図１（ａ），（ｂ）において、Ｆは壁Ｗに固定されているフックである。
【００１３】
本実施例１に係るハンガー支持具１は、フックＦに着脱自在に係合する係合部材１１が
上端部に配設されている傾斜部１０と、吊下部２０と、壁Ｗに接触する接触部材３０とに
よって構成されている。
【００１４】
３１は、吊下部２０の壁Ｗ側の端部と接触部材３０との接続部分に配設されている接続
具である。
【００１５】
図１（ａ），（ｂ）に示したように、傾斜部１０は壁Ｗの壁面に対して斜め下方に離隔
的に延在するように形成されており、吊下部２０は傾斜部１０の下端部から壁Ｗの壁面に
向かって水平方向に延在するように形成されている。ここで、傾斜部１０および吊下部２
０は、図１（ａ），（ｂ）に示すような直線状の形状としなくてもよい。即ち、傾斜部１
０は全体として斜め下方に延在するように形成されていればよく、吊下部２０は全体とし
て壁Ｗの壁面に向かって水平方向に延在していればよい。
【００１６】
接触部材３０は、吊下部２０の壁Ｗ側の端部が壁Ｗの壁面から離隔している場所に位置
するように設けられている部材である。この接触部材３０は本実施例１では「コ」の字状
の形状となっているが、例えば直方体の形状としてもよい。
【００１７】
すなわち、本実施例１における接触部材３０は、壁Ｗの壁面に沿って水平方向に延在し
、壁面からあらかじめ定められた離隔幅を有していて、壁面から離隔した位置で吊下部２
０の端部と接続されていればよく、その形状は、壁Ｗの壁面と水平方向の複数個の位置で
点接触する形状、あるいは、壁面と水平方向に沿って面接触する部分を有する形状であれ
ばよい。
【００１８】
このように構成されている本実施例１に係るハンガー支持具１は、係合部材１１に係合
しているフックＦと、壁Ｗの壁面に接触している接触部材３０とによって壁Ｗに安定的に
支持される。
【００１９】
ここで、本実施例１を支えるフックＦは、壁Ｗに固定されているフックに限られるもの
ではなく、例えば、図２（ａ），（ｂ）に示したような、ドアＤの上縁部に装着可能なフ
ックＦであってもよい。このようにすれば、本実施例１はドアＤの側面部分に設置するこ
とができる。
【００２０】
なお、本実施例１では、図２（ｂ）に示したように、係合部材１１は、係合部本体１１
ａとネジ部１１ｂによって構成されており、ネジ部１１ｂは傾斜部１０の上端部に螺合す
る構成となっている。従ってフックＦの形状に合わせて、係合部材１１を含む傾斜部１０
の長さを調整することができるので、この長さを調整することにより、フックＦの形状に
拘らず吊下部２０を略水平にすることが可能となっている。
【００２１】
また、本実施例１に係る接続具３１は、図３（ａ），（ｂ）に示したように、吊下部２
０の端部に固定される凹状部材３１ａと、接触部材３０に固定されている凸状部材３１ｂ
とによって構成されている。凹状部材３１ａと凸状部材３１ｂとは嵌合した状態で回動可
能であり、また嵌合状態における両者を外すことも可能となるように構成されている。従
って、本実施例１を壁Ｗの壁面から外して収納するような場合には、接触部材３０を外す
か、または回動させることにより、本実施例１は、狭い隙間などに収納することができる
。
【００２２】
以上のように構成された本実施例１の吊下部２０に、図４（ａ），（ｂ）に示したよう
に、衣服Ａを掛けたハンガーＨを吊り下げておけば、衣服Ａは、壁Ｗの壁面との間に十分
に空気が流通する空間を保った状態で吊り下げられるために、衣服Ａが濡れていた場合で
も従来に比して短時間で乾燥してしまう。
【００２３】
本実施例１を使用しない場合には、本実施例１をフックＦから外して、接触部材３０を
回動させれば狭いスペースに収納しておくことができる。
【００２４】
なお、接続具３０は、必須のものではなく、図５に示したように接続具３０を設けなく
とも本発明の効果は十分に得ることができる。
【００２５】
さらに、図６に示したように上端部が傾斜部１０の上部に固定され、下端部が吊下部２
０に固定される補強部材４０を設けておけば、コートのような重い衣服をハンガーに掛け
て吊り下げた場合でも、水平方向に延在する吊下部２０はその位置を保持することができ
る。なお、この補強部材は、図７に示すような、上端部が傾斜部１０の上部に固定され、
下端部が接触部材３０に固定される補強部材４１，４２としてもよい。
【００２６】
また、以上説明した本実施例１では、吊下部２０は、全体として壁Ｗの壁面に向かって
水平方向に延在するように構成してある。しかしながら本実施例１では、先に説明したよ
うに、壁面からの離隔幅を有する接触部材３０が配設されているので、例え吊下部２０を
壁面に向かって下方に延在するように構成するようにしたとしても、この接触部材３０の
存在により、ハンガーに掛けた衣服は、接触部材３０にハンガーが当接した位置に保持さ
れるため、ハンガーに掛けた衣服と壁面との間には空気が流通する十分な空間を確保する
ことができ、本発明の効果を十分に得ることができる。
【実施例２】
【００２７】
図８は、本発明の実施例２に係るハンガー支持具１の構成図である。図８において、図
１に示した実施例１と異なる所は、吊下部２０に上方に向かって突設された係止用突起２
１が設けられていることのみで、その他の符合で示したものは先に実施例１で説明したも
のと同一のものであるのでその説明は省略する。
【００２８】
本実施例２に係るハンガー支持具１においては、係止用突起２１が設けられており、こ
の係止用突起２１と傾斜部１０の下端部との間の部分が、吊り下げられるハンガーの吊下
部２０に沿った方向への移動を規制する係止部となっている。
【００２９】
この係止部にハンガーを吊り下げておけば、ハンガーに掛けられた衣服が壁面に近づく
ことを防止することができて、衣服と壁面との間に空気の流通が可能な十分な空間を確保
することができる。
【００３０】
従って、本実施例２における接触部材は、図８に示したような壁面からの離隔幅を有す
る形状の接触部材３０にする必要はなく、例えば、図９に示したような壁面に沿って水平
方向に延在する棒状の接触部材３２や、図１０に示すような円盤状の接触部材３３として
もよい。
【００３１】
即ち、本実施例２における接触部材の形状は、壁面と水平方向の複数個の位置で点接触
する形状、または壁面と水平方向に沿って面接触する部分を有する形状であればよい。
【００３２】
このようなハンガーの係止部が形成されている本実施例２に係るハンガー支持具１を２
個、図１１に示したように同一壁面に平行に並設すれば、この２個のハンガー支持具１の
係止部に物干竿５０を係止させることにより、本実施例２に係るハンガー支持具１を物干
竿５０との組み合せによる物干具として使用することができる。
【００３３】
なお、本実施例２における係止部は、係止用突起２１によって形成される係止部に限ら
れるものではなく、図１２に示したようにＬ型部材２２の端部をそれぞれ傾斜部１０と吊
下部とに固定して構成してもよいし、また、図１３に示したようにＬ型部材２３を吊下部
２０の延長線上に配設することによって構成してもよい。また、図１４に示すように、吊
下部２０に下方に傾斜する吊下げ傾斜部２４を形成することによって係止部を形成しても
よい。
【００３４】
さらに、図１５に示すように、複数個の係止部２５ａを有する係止部材２５を、吊下部
２０の上側に配設することによって吊下部２０に複数個の係止部２５ａを形成することと
してもよい。また、吊下部２０の下側に、ハンガーを吊り下げることが可能なフック状ま
たはリング状の係止部材を１個または複数個設けて、これを係止部としてもよい。
【００３５】
図１５に示したように、本実施例２においても、先に実施例１で説明した補強部材４０
を設けてもよいし、また、吊下部２０と接触部材３０との接続部分に、図３で示した接続
具３１を配設するように構成してもよい。
【００３６】
以上説明した実施例１に係るハンガー支持具や実施例２に係るハンガー支持具の傾斜部
１０に、図１６に示したような上方に延在するように突設された係止用突起１２を配設し
ておけば、このように構成されたハンガー支持具２個を図１７に示したように同一壁面に
平行に並設すれば、この２個のハンガー支持具１の係止用突起１２によって係止される物
干竿５０と組み合せることにより物干具を構成することができる。なお、物干竿を係止す
るために傾斜部１０に配設される係止部材は、図１６に示したような係止用突起１２の形
状に限られるものではなく、例えば、Ｌ型の形状の係止部材としてもよい。さらに、この
ような係止部材の装着位置は、図１６に示したように傾斜部１０の正面側に限定されるも
のではなく、傾斜部１０の裏面側（壁側）に設けてもよい。
【図面の簡単な説明】
【００３７】
【図１】本発明の実施例１の構成を示す構成図である。
【図２】本発明の実施例１の構成の説明図である。
【図３】本発明の実施例１の構成の説明図である。
【図４】本発明の実施例１の使用方法の説明図である。
【図５】本発明の実施例１の構成の説明図である。
【図６】本発明の実施例１の構成の説明図である。
【図７】本発明の実施例１の構成の説明図である。
【図８】本発明の実施例２の構成を示す構成図である。
【図９】本発明の実施例２の構成の説明図である。
【図１０】本発明の実施例２の構成の説明図である。
【図１１】本発明の実施例２の使用方法の説明図である。
【図１２】本発明の実施例２の構成の説明図である。
【図１３】本発明の実施例２の構成の説明図である。
【図１４】本発明の実施例２の構成の説明図である。
【図１５】本発明の実施例２の構成の説明図である。
【図１６】本発明の実施例１および実施例２の説明図である。
【図１７】本発明の実施例１および実施例２の説明図である。
【図１８】従来のハンガー掛けの構成図である。
【符号の説明】
【００３８】
１  ハンガー支持具
１０  傾斜部
１１  係合部材
１１ａ  係合部材本体
１１ｂ  ネジ部
１２，２１  係止用突起
２０  吊下部
２２，２３  Ｌ型部材
２４  吊下げ傾斜部
２５  係止部材
２５ａ  係止部
３０，３２，３３  接触部材
３１  接続具
３１ａ  凹状部材
３１ｂ  凸状部材
４０，４１，４２  補強部材
５０  物干竿
Ａ  衣服
Ｂ  ハンガー掛け
Ｄ  ドア
Ｆ  フック
Ｈ  ハンガー
Ｗ  壁
【図１】
2009039385.tif 000003
【図２】
2009039385.tif 000004
【図３】
2009039385.tif 000005
【図４】
2009039385.tif 000006
【図５】
2009039385.tif 000007
【図６】
2009039385.tif 000008
【図７】
2009039385.tif 000009
【図８】
2009039385.tif 000010
【図９】
2009039385.tif 000011
【図１０】
2009039385.tif 000012
【図１１】
2009039385.tif 000013
【図１２】
2009039385.tif 000014
【図１３】
2009039385.tif 000015
【図１４】
2009039385.tif 000016
【図１５】
2009039385.tif 000017
【図１６】
2009039385.tif 000018
【図１７】
2009039385.tif 000019
【図１８】
2009039385.tif 000020